(57)【要約】【課題】  厚さの薄い開き扉でもピボットによる枢支が行え、しかも強度を保持して長期に渡って品質を維持できる開き扉の枢支構造を提供する。【解決手段】  開き扉５の上下端部に開口枠１に枢支するための枢支金具６をそれぞれ取り付け、同枢支金具６を開口枠１にピボット６ｅを介して枢支した開き扉の枢支構造であって、前記枢支金具６が、開き扉５の厚さと略同幅で且つ扉幅方向に細長く形成した取付け部６ａを備え、同取付け部６ａの一端部にピボット孔６ｃを形成した構造で、ピボット孔６ｃの必要内径を維持して厚さの薄い開き扉５に取り付けて枢支できるようにした。【選択図】図４
0003122758.tif 000002
【実用新案登録請求の範囲】
【請求項１】
開き扉の上下端部に開口枠に枢支するための枢支金具をそれぞれ取り付け、同枢支金具を開口枠にピボットを介して枢支した開き扉の枢支構造であって、前記枢支金具が、開き扉の厚さと略同幅で且つ扉幅方向に細長く形成した取付け部を備え、同取付け部の一端部にピボット孔を形成した構造であることを特徴とする、開き扉の枢支構造。
【請求項２】
対向する端面が螺旋状の一対の円筒体を受け部材と開き扉に取り付け、各円筒体にピボットの上下部を挿入して開き扉を枢支し、円筒体の端面同士が接する螺旋により開放した開き扉が閉鎖方向へ自重で回動するようにした、請求項１記載の開き扉の枢支構造。
【請求項３】
開き扉が、薄板の周縁部に金属製の枠部材を取り付け、上下の枠部材に枢支金具を取り付けた構造である、請求項１又は２記載の開き扉の枢支構造。
【請求項４】
開き扉の枢支側端部の断面が丸く形成されたものにおいて、開口枠の縦枠の開き扉と対向する端部を開き扉の端部形状に合わせるように断面凹状に形成するか又は断面凹状に形成した別体の部材を取り付け、開き扉と縦枠との間の隙間を小さくできるようにした、請求項１〜３いずれか記載の開き扉の枢支構造。
【考案の詳細な説明】
【技術分野】
【０００１】
本考案は、空間の一部を仕切った小部屋の出入り口に設置するための開き扉の枢支構造に関する。
【背景技術】
【０００２】
従来、ピボットを用いた開き扉の技術が特許文献１に開示されている。この技術は、開き扉の上下端の隅部をピボットで開口枠と床面に開閉自在に枢支した構造を特徴としている。このピボットによる枢支構造は、一般的な蝶番と比較して開き扉の開度を大きく取ることができて使い勝手に優れるとともに、外開き式と内開き式のどちらにも対応できる構造で、トイレブース等に利用されている。
【０００３】
ところで、前記技術では、ピボット孔の形成のためには開き扉の厚さが少なくとも３０〜４０ｍｍは必要であり、それより薄い厚さの開き扉はピボット孔の強度を確保できない問題があった。強度を確保するためには金属など重量を有する材料を用いる必要があり、高価格になるとともに開閉に労力を伴うものになっていた。また、細いピボットを用いるとピボット自身が開き扉の重量や開閉の衝撃、摩耗に耐えられず、品質を長期に渡って維持することは難しいものであった。
【特許文献１】特開平６−２４６２号公報
【考案の開示】
【考案が解決しようとする課題】
【０００４】
本考案が解決しようとする課題は、従来のこれらの問題点を解消し、厚さの薄い開き扉でもピボットによる枢支が行え、しかも強度を保持して長期に渡って品質を維持できる開き扉の枢支構造を提供することにある。
【課題を解決するための手段】
【０００５】
かかる課題を解決した本考案の構成は、
１）  開き扉の上下端部に開口枠に枢支するための枢支金具をそれぞれ取り付け、同枢支金具を開口枠にピボットを介して枢支した開き扉の枢支構造であって、前記枢支金具が、開き扉の厚さと略同幅で且つ扉幅方向に細長く形成した取付け部を備え、同取付け部の一端部にピボット孔を形成した構造であることを特徴とする、開き扉の枢支構造
２）  対向する端面が螺旋状の一対の円筒体を受け部材と開き扉に取り付け、各円筒体にピボットの上下部を挿入して開き扉を枢支し、円筒体の端面同士が接する螺旋により開放した開き扉が閉鎖方向へ自重で回動するようにした、前記１）記載の開き扉の枢支構造
３）  開き扉が、薄板の周縁部に金属製の枠部材を取り付け、上下の枠部材に枢支金具を取り付けた構造である、前記１）又は２）記載の開き扉の枢支構造
４）  開き扉の枢支側端部の断面が丸く形成されたものにおいて、開口枠の縦枠の開き扉と対向する端部を開き扉の端部形状に合わせるように断面凹状に形成するか又は断面凹状に形成した別体の部材を取り付け、開き扉と縦枠との間の隙間を小さくできるようにした、前記１）〜３）いずれか記載の開き扉の枢支構造
にある。
【考案の効果】
【０００６】
本考案によれば、枢支金具はピボット孔の内径に関わらず取付け部の幅を開き扉の厚さに合わせて狭く形成できるから、従来では困難であった３０ｍｍ以下の薄い開き扉でも問題なく取り付けて枢支でき、ピボット孔は従来と同等の内径を確保できるから枢支強度を低下させることもない。また、枢支金具の取付け部は扉幅方向に沿って取り付けるから、開き扉がより薄くても取付け部をさらに長くすることで必要な取り付け強度を保持できる。
【考案を実施するための最良の形態】
【０００７】
本考案では、対向する端面が螺旋状の一対の円筒体を受け部材と開き扉に取り付けてピボットを各円筒体に挿入したものでは、円筒体の端面同士が接する螺旋により開放した開き扉が閉鎖方向へ自重で回動でき、従来のドアクローザー等と比較して低コストで実施でき、長期間使用しても回動力の低下が生じない。
【０００８】
開き扉の構造が薄板の周縁部にピボットの挿入孔を備えた金属製の枠部材を取り付けたものでは、開き扉を薄く且つ軽量に構成できる。薄板としては化粧合板等が用いられ、枠部材としてはアルミニウム合金等が用いられる。また、開口枠も同様の構成が用いられる。
【０００９】
開き扉の枢支側端部の断面が丸く形成されたものにおいて、開口枠の縦枠端部を開き扉の端部形状に合わせるように断面凹状に形成するか又は断面凹状に形成した別体の部材を取り付けたものでは、開き扉と縦枠との間の隙間を小さくし、例えばトイレブースに設置した場合においては小部屋の中を見えなくできるとともに、手や指を挟み難くして安全性を向上できる。
【００１０】
以下、本考案の実施例を図面に基づいて具体的に説明する。
【実施例１】
【００１１】
図１〜５に示す実施例は、本考案をトイレブースに適用した例である。図１は実施例のトイレブースの平面図、図２は実施例の開き扉の正面図、図３は実施例のピボットによる枢支部分の拡大図、図４は実施例の枢支金具の斜視図、図５は実施例の開き扉の部分断面図である。
【００１２】
図中、１は開口枠、１ａは縦枠、１ｂは上枠、１ｃはピボット孔、２は支柱、２ａはネジ、３は隙間閉塞部材、４は受け部材、４ａは円筒体、５は開き扉、５ａは薄板、５ｂは枠部材、５ｃは挿入孔、５ｄは取っ手、６は枢支金具、６ａは取付け部、６ｂはネジ孔、６ｃはピボット孔、６ｄはネジ、６ｅはピボット、７は施錠レバー、７ａはレバー受け、８は仕切り板、９は便器、Ｆは床面、Ｗは壁面である。
【００１３】
本実施例の開口枠１は、縦枠１ａと上枠１ｂで構成され、縦枠１ａの下端部に開口枠１を床面Ｆと所定間隔をおいて設置するための支柱２を取り付け、縦枠１ａの下端隅部に下側のピボット６ｅを枢支するＬ字状の受け部材４を開き扉５側へ突出するように取り付け、上枠１ｂに上側のピボット６ｅを枢支するピボット孔１ｃを形成し、縦枠１ａの端部に開き扉５の端部形状に合わせるように断面凹状に形成した隙間閉塞部材３を取り付けている。
【００１４】
開き扉５は、厚さ２０ｍｍの薄板５ａの周縁部に金属製の枠部材５ｂを取り付け、内側正面に横方向へ進退する施錠レバー７を取り付け、施錠レバー７を受けるレバー受け７ａを開口枠１の縦枠１ａに取り付けている。上下の枠部材５ｂには、３箇所のネジ孔６ｂを備えた取付け部６ａとピボット孔６ｃとで構成された枢支金具６をネジ６ｄでそれぞれ取り付けている。取付け部６ａの幅は開き扉５の厚さと略同じに形成され、取付け部６ａの長さは５０ｍｍに形成している。下側の枢支金具６のピボット孔６ｃ部分には下端が螺旋状に形成された円筒体４ａを取り付け、受け部材４に上端が螺旋状に形成された円筒体４ａを取り付けている。
【００１５】
設置する際は、空間を小部屋に区画するように仕切り板８を壁面Ｗと床面Ｆにネジ等で固定し、開口枠１を支柱２で床面Ｆに立てた後にネジ２ａで床面Ｆと仕切り板８に固定し、開き扉５の上側の枢支金具６のピボット孔６ｃにピボット６ｅの下部を挿入した後に開口枠１の上枠１ｂのピボット孔１ｃにピボット６ｅの上部を挿入し、開き扉５の下側の枢支金具６のピボット孔６ｃと円筒体４ａにピボット６ｅの上部を挿入した後に受け部材４の円筒体４ａにピボット６ｅの下部を挿入して開閉自在に枢支する。なお、開き扉５は開口枠１の設置前に枢支しておいてもよい。
【００１６】
配置替えの際は、支柱２のネジ２ａを取り外した後に開き扉５を枢支したままの状態で開口枠１を別位置に持ち運び、任意の位置に配置した後に支柱２をネジ２ａで床面Ｆに再度固定することで成される。また、開き扉５を開放後に手を離すと、円筒体４ａの端面同士が接する螺旋により開き扉５が閉鎖方向へ自重で回動され、トイレの使用後に開き扉５を開け放しにすることなく常時閉鎖される。
【００１７】
以上説明したように、本実施例によれば、枢支金具６はピボット孔６ｃの内径に関わらず取付け部６ａの幅を開き扉５の厚さに合わせて狭く形成できるから、従来では困難であった３０ｍｍ以下の薄い開き扉５でも問題なく取り付けて枢支でき、ピボット孔６ｃは従来と同等の内径を確保できるから枢支強度を低下させることもない。また、枢支金具６の取付け部６ａは扉幅方向に沿って取り付けるから、開き扉５がより薄くても取付け部６ａをさらに長くすることで必要な取り付け強度を保持できる。
【産業上の利用可能性】
【００１８】
本考案の開き扉の枢支構造は、駅・店舗・オフィス等のトイレブースに有用である。
【図面の簡単な説明】
【００１９】
【図１】実施例のトイレブースの平面図である。
【図２】実施例の開き扉の正面図である。
【図３】実施例のピボットによる枢支部分の拡大図である。
【図４】実施例の枢支金具の斜視図である。
【図５】実施例の開き扉の部分断面図である。
【符号の説明】
【００２０】
１  開口枠
１ａ  縦枠
１ｂ  上枠
１ｃ  ピボット孔
２  支柱
２ａ  ネジ
３  隙間閉塞部材
４  受け部材
４ａ  円筒体
５  開き扉
５ａ  薄板
５ｂ  枠部材
５ｃ  挿入孔
５ｄ  取っ手
６  枢支金具
６ａ  取付け部
６ｂ  ネジ孔
６ｃ  ピボット孔
６ｄ  ネジ
６ｅ  ピボット
７  施錠レバー
７ａ  レバー受け
８  仕切り板
９  便器
Ｆ  床面
Ｗ  壁面
【図１】
0003122758.tif 000003
【図２】
0003122758.tif 000004
【図３】
0003122758.tif 000005
【図４】
0003122758.tif 000006
【図５】
0003122758.tif 000007